(57)【要約】【課題】指の掛かりが良好なヒンジキャップを提供する。【解決手段】容器２に形成されている首部３に嵌合させられる円筒部９と、その円筒部９の上端側の周縁部の一部に第１ヒンジ部１１を介して連結されて前記首部９の先端に形成されている口部５を封止する開閉部１０と、その開閉部１０のうち前記円筒部９の中心を挟んで前記第１ヒンジ部１１とは反対側の部分に形成された第１突片部７を備えたヒンジキャップ１において、前記第１突片部７に第２ヒンジ部２０を介して連結されかつ押し上げられることにより前記第２ヒンジ部２０で所定角度折り曲がって、前記第１突片部７に開蓋力を作用させる折り返し指掛かり部２１を備えている。【選択図】図２
2011219110.tif 000002
【特許請求の範囲】
【請求項１】
容器に形成されている首部に嵌合させられる円筒部と、
その円筒部の上端側の周縁部の一部に第１ヒンジ部を介して連結されて前記首部の先端に形成されている口部を封止する開閉部と、
その開閉部のうち前記円筒部の中心を挟んで前記第１ヒンジ部とは反対側の部分に形成された第１突片部を備えたヒンジキャップにおいて、
前記第１突片部に第２ヒンジ部を介して連結されかつ押し上げられることにより前記第２ヒンジ部で所定角度折り曲がって、前記第１突片部に開蓋力を作用させる折り返し指掛かり部を備えていることを特徴とするヒンジキャップ。
【請求項２】
前記開閉部は、第１易破断部によって前記円筒部に連結され、かつ前記折り返し指掛かり部は、前記第１易破断部よりも破断しやすい第２易破断部により前記円筒部に連結されていることを特徴とする請求項１に記載されたヒンジキャップ。
【請求項３】
前記折り返し指掛かり部の前記第２ヒンジ部より円筒部のリング部側でかつ前記第２ヒンジ部とヒンジキャップの下端部との間に指挿入用の開口部を備えていることを特徴とする請求項２に記載されたヒンジキャップ。
【請求項４】
前記第２易破断部は、前記折り返し指掛かり部を部分的に前記円筒部に連結する複数のブリッジ部からなり、いずれかの一つのブリッジ部が他のブリッジ部より長く形成されていることを特徴とする請求項２または請求項３に記載されたヒンジキャップ。
【請求項５】
前記折り返し指掛かり部は、前記円筒部に対しその上下方向に対し係止する係止部を備えていることを特徴とする請求項１ないし請求項４のいずれかに記載されたヒンジキャップ。
【発明の詳細な説明】
【技術分野】
【０００１】
本発明は、食品、飲料、化粧品、トイレタリー、日用品、文具などの包装容器として、ボトル型缶、瓶、カップ、袋などの容器の口部に取り付けられ、特にヒンジを有し、そのヒンジとは反対側の部分を押し上げることにより開蓋させるキャップに関するものである。
【背景技術】
【０００２】
従来、飲料用ボトル型缶や瓶などの容器の首部に形成された雄ネジと、キャップの内周面に形成された雌ネジとによって、容器に嵌合させるネジ式キャップや、容器の首部に環状突起を形成し、キャップの内周面に突起を形成して、キャップを容器に押し込むことにより、キャップを容器に嵌合させる打栓式キャップが知られている。また、これらのキャップにヒンジを設け、そのヒンジとは反対側の部分に設けられた突片部を押し上げることにより、キャップを容器から取り外すことなく容器の口部を開閉できるヒンジキャップが知られている。
【０００３】
これらのヒンジキャップには、開閉部と容器に固定された固定部との間にブリッジや係合片を設けることにより、既に開蓋操作をされたことを明示するいわゆるタンパーエビデント性を付与することも行われている。この種のヒンジキャップが特許文献１ないし３に記載されている。また、再封止する場合に開閉部をロックするために開閉部もしくは固定部に係止部と他方の部材に係止部の引っかかり部とを設けたキャップが知られている。この種のヒンジキャップが特許文献４ないし６に記載されている。
【先行技術文献】
【特許文献】
【０００４】
【特許文献１】特開２０００−３３９６５号公報
【特許文献２】特開２００３−１４６３５４号公報
【特許文献３】特開平７−４１０２８号公報
【特許文献４】実開昭６３−１４７４６１号公報
【特許文献５】実開平４−１１５９号公報
【特許文献６】実開平５−３５７３２号公報
【発明の概要】
【発明が解決しようとする課題】
【０００５】
従来、ヒンジキャップは、上述したようにヒンジとは反対側に突片部を設け、その突片部を押し上げる構成とすることにより、キャップの開蓋性を向上させている。しかしながら、突片部を大きくするとキャップを容器に嵌合させる場合や商品の搬送の場合などに突片部を引っかけてしまう可能性がある。そのため、突片部を大きくすることができないので、この点で改良の余地がある。
【０００６】
本発明は上記の事情を背景としてなされたものであり、指の掛かりが良好なヒンジキャップを提供することを目的とするものである。
【課題を解決するための手段】
【０００７】
上記の目的を達成するために、請求項１の発明は、容器に形成されている首部に嵌合させられる円筒部と、その円筒部の上端側の周縁部の一部に第１ヒンジ部を介して連結されて前記首部の先端に形成されている口部を封止する開閉部と、その開閉部のうち前記円筒部の中心を挟んで前記第１ヒンジ部とは反対側の部分に形成された第１突片部を備えたヒンジキャップにおいて、前記第１突片部に第２ヒンジ部を介して連結されかつ押し上げられることにより前記第２ヒンジ部で所定角度折り曲がって、前記第１突片部に開蓋力を作用させる折り返し指掛かり部を備えていることを特徴とするヒンジキャップである。
【０００８】
請求項２の発明は、請求項１の発明の構成に加えて、前記開閉部は、第１易破断部によって前記円筒部に連結され、かつ前記折り返し指掛かり部は、前記第１易破断部よりも破断しやすい第２易破断部により前記円筒部に連結されていることを特徴とするヒンジキャップである。
【０００９】
請求項３の発明は、請求項２の発明の構成に加えて、前記折り返し指掛かり部の前記第２ヒンジ部より円筒部のリング部側でかつ前記第２ヒンジ部とヒンジキャップの下端部との間に指挿入用の開口部を備えていることを特徴とするヒンジキャップである。
【００１０】
請求項４の発明は、請求項２または請求項３の発明の構成に加えて、前記第２易破断部は、前記折り返し指掛かり部を部分的に前記円筒部に連結する複数のブリッジ部からなり、いずれかの一つのブリッジ部が他のブリッジ部より長く形成されていることを特徴とするヒンジキャップである。
【００１１】
請求項５の発明は、請求項１ないし請求項４の発明の構成に加えて、前記折り返し指掛かり部は、前記円筒部に対しその上下方向に対し係止する係止部を備えていることを特徴とするヒンジキャップである。
【発明の効果】
【００１２】
本発明のキャップは、容器の首部と嵌合させられる円筒部と、その円筒部の上端側に設けられた第１ヒンジ部を介して連結された開閉部と、円筒部の中心を挟んで反対側に設けられた第１突片部と設けており、さらにその第１突片部に第２ヒンジ部を介して折り返し指掛かり部が設けられている。したがって、その折り返し指掛かり部を押し上げることにより、折り返し指掛かり部が第２ヒンジ部を中心として所定角度回動する。したがって、折り返し指掛かり部が回動して、折り返し指掛かり部がキャップの外周側に突出するので、その突出した折り返し指掛かり部の内面を指で押すことができ、開蓋する際に指を掛けやすくなる。そして、さらに折り返し指掛かり部が押し上げられる方向へ力を作用させることにより、その力が第１突片部に開蓋力として作用する。また、折り返し指掛かり部を大きく形成することにより、開蓋させる場合に梃子の作用が大きくなる。要するに、開蓋するための力を小さくすることができる。また、キャップが閉じられている状態では、従来と比較して、キャップの外周方向に大きく突出した部材がなく、外観としても良い。
【００１３】
請求項２に記載された発明によれば、開閉部と円筒部とを連結する第１易破断部と、折り返し指掛かり部と円筒部とを連結する第２易破断部とを備えている。また、第２易破断部は、第１易破断部より破断しやすい。したがって、折り返し指掛かり部を円筒部から破断させる力は、開蓋力より小さくできる。
【００１４】
また、請求項３に記載された発明によれば、円筒部と折り返し指掛かり部との間に指挿入用の開口部を備えているので、折り返し指掛かり部に指をかけやすくなる。
【００１５】
さらに、請求項４に記載された発明によれば、第２易破断部は、ブリッジ部で形成されていて、そのブリッジ部の少なくとも一つのブリッジ部が他のブリッジ部より長く形成されているので、一旦、キャップが開蓋されると長く形成された第２ブリッジ部が変形し、視覚的に開蓋されたことがわかる。
【００１６】
そして、請求項５に記載された発明によれば、折り返し指掛かり部が上下方向に対し係止する係止部を備えているので、開閉部に上方向の力が不可避的に作用した場合でも、折り返し指掛かり部の係止部が円筒部と干渉し、容易に開蓋することはない。
【図面の簡単な説明】
【００１７】
【図１】本発明に係るキャップの一例を示す正面図である。
【図２】そのキャップの側面図である。
【図３】そのキャップの背面図である。
【図４】本発明で対象とすることのできる容器の首部の一例を示す正面図である。
【図５】図２のV−V線に沿う矢視断面図である。
【図６】図２におけるVI−VI線に沿う矢視断面図である。
【図７】図１のVII-VII線に沿う矢視断面図である。
【図８】折り返し指掛かり部が完全に回動した状態の図１のVII-VII線に沿う矢視断面図である。
【図９】折り返し指掛かり部が完全に回動した状態を示す斜視図である。
【図１０】キャップを開く過程を示す斜視図である。
【図１１】キャップを完全に開いた状態を示す斜視図である。
【図１２】キャップを容器の首部に取り付けた状態の断面図である。
【図１３】本発明に係るキャップの他の例を示す正面図である。
【図１４】本発明に係るキャップの更に他の例を示す正面図である。
【図１５】そのキャップの側面図である。
【図１６】そのキャップを開く過程を示す斜視図である。
【発明を実施するための形態】
【００１８】
つぎに本発明を具体的に図を参照しつつ説明する。図１ないし図３は、この発明に係るヒンジキャップの一例を示したものであり、ヒンジキャップ１が容器２に嵌合された状態を示したものである。なお、図１は、ヒンジキャップ１の正面図、図２は右側面図、図３は背面図である。このヒンジキャップ１は、樹脂キャップであり、例えば、ポリエチレン、アイソタクティクポリプロピレン、エチレン−ポリプロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂あるいはポリカーボネート等の合成樹脂で成形されている。
【００１９】
なお、本発明に係るヒンジキャップ１は、ヒンジキャップ１の内周面に成形された雌ネジと容器２の首部に成形された雄ネジとで嵌合するネジ式ヒンジキャップやヒンジキャップ１の上方から容器２に押し込んでヒンジキャップ１と容器２とを嵌合する打栓式ヒンジキャップのいずれでもよい。そして、この説明で挙げているヒンジキャップ１は、上述した打栓式のヒンジキャップ１であり、一度、容器２に嵌合されると、容器２が廃棄され再利用される場合以外では、取り外す必要がないので、いわゆる抜け止めされた状態で容器２の首部に嵌合されている。
【００２０】
ここで首部の構造について説明すると、図４はその一例を示し、首部３は、容器の本体部４における上部に突出して形成された円筒状の部分であり、その上端部が開口して口部５となっている。また、その首部３の下端部すなわち本体部４に近い箇所に、フランジ部６が形成されている。このフランジ部６は、ヒンジキャップ１の下端部を突き当ててヒンジキャップ１の上下方向での位置を決める部分である。このフランジ部６よりも上側に第１突条部７と第２突条部８とが所定の間隔をあけて設けられている。これらの突条部７，８は、首部３を取り巻いた状態の環状突起であり、第１突条部７は、第２突条部８よりも大きく首部３から突出している。すなわち、第１突条部７の外径が、第２突条部８の外径より大きい。さらに、各突条部７，８の上面が、外周端側で下がっている傾斜面（あるいはテーパー面）となっているのに対して、各突条部７，８の下面は、首部３の中心軸線に垂直な平面にほぼ一致する水平面となっている。すなわち、各突条部７，８は抜け止め部として作用するように構成されている。
【００２１】
そして、首部３の上端面すなわち口部５の輪郭部は、首部３の板厚より広い幅になっており、また角部は滑らかな曲面に形成されている。これは、ヒンジキャップ１によるシール性を確保するためであり、また唇が接触した場合の感触を良好にするためである。
【００２２】
つぎにこの発明に係るヒンジキャップ１について説明する。ここで説明するヒンジキャップ１は、容器２にヒンジキャップ１を固定するための円筒部９と、容器２の口部５を開閉するための開閉部１０とで構成されている。円筒部９は、図１ないし図３のように、前述した容器２のフランジ部６に載った状態に突き当てられたリング状のリング部９ａと、容器２の首部３の壁面を覆うように形成された立ち上がり部９ｂとで構成されている。その立ち上がり部９ｂは、ヒンジキャップ１の中心線方向に沿ってリング部９ａの上方に設けられていて、背面の高さは、容器２の口部５近傍まであり、その背面の上端には、図３に示すようにヒンジキャップ１の中心線を中心として左右両側に第１ヒンジ部１１が設けられている。その円筒部９の上端縁９ｃは、図３における第１ヒンジ部１１の左右から下方へ向けて螺旋状に形成されていて、その範囲は、ヒンジキャップ１の約１／４周に満たない狭い範囲である。そして、螺旋状の上端縁９ｃの下方部すなわち正面側からヒンジキャップ１の座面に対して平行に上端縁９ｄが形成され、さらに、後述する折り返し指掛かり部２１の範囲を避けて、容器２の首部を覆うように形成されている。また、前述した第１ヒンジ部１１は、円筒部９や開閉部１０と同じ材質であり、円筒部９および開閉部１０と一体に形成されている。その第１ヒンジ部１１は、開閉部１０を回動させる場合に、折り返されるので、板厚は薄く形成されている。
【００２３】
そして、その第１ヒンジ部１１の他端には、開閉部１０が連結されている。その開閉部１０は、円盤状の上板部１２とその上板部１２の外周縁から垂下しているカバー部１３とで構成されている。また、上板部１２の内面すなわち容器側には、容器２の口部５に密着して嵌合する円筒状のプラグ部１２ａと、容器２の首部３の上端部に密着する凸ビード１２ｂとが備えられている。したがって、上板部１２は、容器２の口部５を密封状態を維持することができる。なお、容器２とヒンジキャップ１とが嵌合している状態の断面図を図１２に示す。
【００２４】
また、カバー部１３の左右の下端縁１３ａは、上述した立ち上がり部９ｂと連結されている。したがって、カバー部１３の左右の下端縁１３ａは、立ち上がり部９ｂの螺旋状の上端縁９ｃと一致するように螺旋形状となっている。この螺旋状の連結部９ｃ，１３ａには、Ｖ字溝にカットされたスコア線が設けられていて、開閉部１０を開蓋する場合に、容易に破断するように構成されている。このスコア線の形状を図５に示してあり、この図は、図２のV−Vの断面を示している。なお、このヒンジキャップ１は金型で成形されるものであり、このスコア線を成形している成形型が図２における右方向に分割されるので、金型を分割する際に立ち上がり部９ｂと干渉し破損させないように、Ｖ字溝の立ち上がり部９ｂ側に傾斜面Ｐが設けられている。また、螺旋状の下端縁１３ａ以外の箇所すなわちヒンジキャップ１の座面に対して平行に形成された下端縁１３ｂには、ヒンジキャップ１を貫通した複数の溝すなわちスリット１４が設けられている。つまり、スリット１４同士間には、細い第１ブリッジ部１５（第１易破断部）が形成される。また、この第１ブリッジ部１５は、図にあげる例では、円筒部９側がより細い形状となっていて、開閉部１０を開蓋する場合に、円筒部９側が容易に破断するように構成されている。したがって、カバー部１３と立ち上がり部９ｂとの連結部すなわち螺旋状の連結部１３ａ，９ｃとヒンジキャップ１の座面に対して平行な連結部１３ｂ，９ｄとは、容易に破断するように連結されているので、ヒンジキャップ１を開蓋する場合に、円筒部９と開閉部１０とが容易に分割される。なお、螺旋状の連結部９ｃ，１３ｂの下方端には、薄肉弱化部１６が設けられ、さらに、薄肉弱化部１６の近傍のスリット部１４には、スリット幅が減る方向に段差部１７が設けられている。これは、このヒンジキャップ１が打栓式キャップであるので、ヒンジキャップ１の上方から受ける打栓力により第１ブリッジ部１５およびスコア線が破断しないように、薄肉弱化部１６および段差部１７を設けらることにより、応力集中や開閉部の撓み量を低減させるためのものである。図６は、この薄肉弱化部１６を示したものであり、図２におけるVI−VIの断面を示している。
【００２５】
さらにカバー部１３の正面の中央部には、第１突片部１８とその第１突片部１８の左右には、図における上方へ向けて縦スリット１９が設けられている。この第１突片部１８は、後述する折り返し指掛かり部２１の回動の上限位置を決める機能を有し、また、縦スリット１９は、折り返し指掛かり部２１による、押し上げ方向の力を受けた場合に、この縦スリット１９同士の間の部分を撓ませ、容易に開蓋させる機能を有している。
【００２６】
そして、この縦スリット１９間の幅と同一幅に、かつ第１突片部の下端縁に第２ヒンジ部２０を介して折り返し指掛かり部２１が設けられ、その折り返し指掛かり部２１の下方には第２突片部２２が設けられている。また、折り返し指掛かり部２１のそれぞれの縁すなわち下端縁２１ａと左右端縁２１ｂ，２１ｃとは、前述した円筒部９の立ち上がり部９ｂと連結されている。この折り返し指掛かり部２１は、要するに第２突片部２２を押し上げて、第２ヒンジ部２０を中心として折り返し指掛かり部２１を回動させて、その回動された折り返し指掛かり部を押し上げることにより開閉部１０を開蓋する。つまり、折り返し指掛かり部２１は、開蓋する場合に指を掛けやすくするために設けられている。また、折り返し指掛かり部が回動して、その回動した折り返し指掛かり部を押し上げて開蓋するので、モーメント力が作用し易くなる。要するに小さな力で開蓋することができる。なお、図７および図８に図１におけるVII−VII断面を示す。図７は、折り返し指掛かり部２１を回動させていない状態、図８は、折り返し指掛かり部２１を完全に回動させた状態を示している。この図における薄肉弱化部が図２における第２ヒンジ部２０に相当している。その薄肉弱化部の板厚を折り返し指掛かり部２１およびカバー部１３の板厚の３０〜９５％に設定し、薄肉弱化部の長さを折り返し指掛かり部２１およびカバー部１３の板厚の０．３〜２．０倍に設定すると、折り返し指掛かり部２１の回動角度が９０度となり、折り返し指掛かり部２１を回動させた状態で指が掛けやすくなる。また、薄肉弱化部の厚さあるいは長さが折り返し指掛かり部２１の板厚の３０％未満および／又は２．０倍を越えると折り返し指掛かり部２１から伝わる回動力に対して薄肉弱化部の曲げ弾性力が相対的に小さくなりすぎて薄肉弱化部に伝達する回動力が弱くなるとともに、折り返し指掛かり部２１の回動角度が９０度を超えるため指が掛けにくくなる。さらに、９５％を越える及び／又は０．３倍未満であると折り返し指掛かり部２１から伝わる回動力に対して薄肉弱化部の曲げ弾性力が相対的に大きくなり、折り返し指掛かり部２１の回動角度が９０度未満となるため指が掛けにくくなる。
【００２７】
したがって、折り返し指掛かり部２１は、指で押し上げられて立ち上がり部９ｂと容易に破断もしくは剥離できなければならないので、折り返し指掛かり部２１と立ち上がり部９ｂとの連結部には、複数のスリットを設けている。図１にあげる例では、スリット１４により区分された第２ブリッジ部２３（第２易破断部）が折り返し指掛かり部２１の左右縁２１ｂ，２１ｃに一つずつ、下端縁２１ａの左右に一つずつ設けられている。さらに、第２ブリッジ部２３を設けることにより、打栓時の開閉部１０にかかる打栓力を第１ブリッジ１５のみが受けるのではなく、第２ブリッジ２３も受けることができるので、それぞれのブリッジ部１５，２３の剛性を下げることができる。そのため、第１ブリッジ１５の剛性を下げることができるので、開蓋をする場合に要する力を低減することができる。なお、折り返し指掛かり部２１の下端縁２１ａと立ち上がり部９ｂとの間に指差し込み部２４が形成されている。この指差し込み部２４は、折り返し指掛かり部２１を押し上げる際に、指が折り返し指掛かり部２１に掛けやすくするためである。
【００２８】
なお、図９ないし図１１は、ヒンジキャップ１が開蓋されるそれぞれの過程の状態を示したものであり、図９は折り返し指掛かり部２１が立ち上がり部９ｂから引き剥がされ、折り返し指掛かり部２１が完全に回動した状態、図１０は開閉部１０が円筒部９から引き剥がされ、開閉部１０が回動している過程の状態、図１１は、開閉部１０が完全に回動した状態を示している。
【００２９】
つぎに容器２とヒンジキャップ１との嵌合状態について説明する。図１２は、容器２とヒンジキャップ１とが嵌合した状態の断面を示している。なお、開閉部１０の上板部１２と容器２との嵌合については、上述したとおりである。まず、ヒンジキャップ１と容器２とが固定されている箇所すなわち図における下方部について説明すると、リング部９ａの内面には、第１環状突起９ｅが形成されている。この第１環状突起９ｅは、上述した容器２の第１突状部７と嵌合するものである。したがって、ヒンジキャップ１の座面が容器２のフランジ部６に載る状態となる際に、第１突状部７と嵌合するように設定されている。また、立ち上がり部９ｂの上方には第２環状突起９ｆが形成されている。この第２環状突起９ｆは、容器２の第２突状部８と嵌合するためのものであり、ヒンジキャップ１の座面が容器２のフランジ部６に載る状態となる際に、第２突状部８と嵌合するように設定されている。したがって、第１環状突起９ｅおよび第２環状突起９ｆは、ヒンジキャップ１を容器２の首部３に固定するために設けられたものである。つぎに、カバー部１３に設けられた第１突片部１８の内面に突起１３ｃが形成されている。この突起１３ｃは、ヒンジキャップ１が容器２に取り付けられた状態で、容器２の第２突状部８と嵌合する高さに設定されている。したがって、開閉部１０を閉じている状態では、開閉部１０が不可避的に回動し難い。また、開閉部１０が開蓋される場合には、カバー部１３に設けられた第１突片部１８が押し上げられて、縦スリット１９間の部分は撓むので、この内面の突起部１３ｃと首部３の第２突状部８とのラップ量が減り、開閉部１０を開蓋することができる。
【００３０】
なお、上述した構成例は、一旦ヒンジキャップ１を開蓋したことを明示するいわゆるタンパーエビデント性（以下、ＴＥ性と記す）は、各ブリッジ部１５，２３により示されている。このＴＥ性をより効果的に明示する構成例を説明する。図１３は、その構成例を示したものである。この構成例では、上述した構成例の折り返し指掛かり部２１と折り返し指掛かり部２１に連結された第２ブリッジ部２３との形状を変化させたものである。まず、折り返し指掛かり部２１は、下端部の幅を狭く形成されているので、立ち上がり部９ｂと折り返し指掛かり部２１とのスリット１４幅が上述した構成例のスリット１４幅より広がる。そして、その広がったスリット１４の部分に第３ブリッジ部２５（第３易破断部）が形成される。なお、この第３ブリッジ部２５の折り返し指掛かり部２１側には、薄肉弱化部２５ａが形成され、第３ブリッジ部２５と折り返し指掛かり部２１とが破断する場合には、この薄肉弱化部２５ａで破断するように構成されている。したがって、一旦ヒンジキャップ１を開蓋させる操作を行うと、第３ブリッジ部２５と折り返し指掛かり部２１とが破断する過程で、折り返し指掛かり部２１の回動方向に第３ブリッジ部２５が曲がるので、視覚的に一旦開蓋されたことが識別できる。
【００３１】
つぎに上述したヒンジキャップ１の他の構成例を説明する。図１４および図１５は、他の構成例を示したものであり、図１３は正面図、図１４は右側面図である。この構成例は、再栓する際に、折り返し指掛かり部２１が不可避的に回動しないように、折り返し指掛かり部２１にロック機構を設けたものである。この構成例の構造について説明すると、上述した構成例の折り返し指掛かり部２１の形状を変化させ、それに伴い、円筒部９の立ち上がり部９ｂの形状を変化させたものである。まず、折り返し指掛かり部２１は、下方部の幅を広くし、かつ、折り返し指掛かり部２１の高さ方向の略中央部より下方の板厚を厚くさせる。そして、円筒部９の立ち上がり部９ｂは、折り返し指掛かり部２１の幅が広がった箇所を避けるように、前面形状を変化させ、さらに、折り返し指掛かり部２１の幅が広がった部分を囲う箇所の板厚を厚くさせる。言い換えれば、円筒部９の立ち上がり部９ｂの前面の開口部の形状は、逆Ｔ字形状となり、その開口部に折り返し指掛かり部２１が収まっている状態となっている。このような形状とすることにより、ヒンジキャップ１が搬送時などにより不可避的に上方へ押し上げられた場合には、折り返し指掛かり部２１の幅が広がった下方部と円筒部９の立ち上がり部９ｂとが干渉するので容易には開蓋しない。開蓋する場合とこのロック機構が作用する動作の違いは、開蓋する場合は、指で第２突片部２２を押し上げるので、第２ヒンジ部２０を回動支点としてキャップ１外周へ向けた方向に力が作用する。これに対し、キャップ１が上方に押し上げられた場合は、要するに図における上方向に力が作用するだけであり、回動する方向には作用しない。したがって、意図的に指で開蓋する場合は、折り返し指掛かり部の係止部２１ｄと立ち上がり部９ｂとは干渉せずに開蓋することができる。なお、図１６に折り返し指掛かり部を完全に回動させた状態を示す。
【００３２】
本発明は、上述した構成例に限定されたものではない。例えば、上述した構成例の第２突片部２２の内面に突起を設け、その突起と一致する容器２に第１突状部や第２突状部と同様の突起を設けて、第２突片部の不可避的な開閉を抑制することも可能である。要するに、本発明の特徴は、従来のヒンジキャップ１に、押し上げられ折り返されることにより指の掛かりを良好とし、ヒンジキャップを容易に開蓋させられるものである。
【符号の説明】
【００３３】
１…キャップ、  ２…容器、  ３…首部、  ４…本体部、  ５…口部、  ６…フランジ部、  ７…第１突状部、  ８…第２突状部、  ９…円筒部、  ９ａ…リング部、  ９ｂ…立ち上がり部、  ９ｃ，９ｄ…円筒部の上端縁、  ９ｅ…第１環状突起、  ９ｆ…第２環状突起、  １０…開閉部、  １１…第１ヒンジ部、  １２…上板部、  １２ａ…プラグ部、  １２ｂ…凸ビード、  １３…カバー部、  １３ａ，１３ｂ…カバー部の下端縁、  １３ｃ…突起、  １４…スリット、  １５…第１ブリッジ部（第１易破断部）、  １６…薄肉弱化部、  １７…段差部、  １８…第１突片部、  １９…縦スリット、  ２０…第２ヒンジ部、  ２１…折り返し指掛かり部、  ２１ａ…折り返し指掛かり部の下端縁、  ２１ｂ…折り返し指掛かり部の左端縁、  ２１ｃ…折り返し指掛かり部の右端縁、  ２１ｄ…折り返し指掛かり部の係止部  ２２…第２突片部、  ２３…第２ブリッジ部（第２易破断部）、  ２４…指差し込み部、２５…第３ブリッジ部（第３易破断部）、  ２５ａ…第３ブリッジ部の薄肉弱化部、  Ｐ…傾斜面。
【図１】
2011219110.tif 000003
【図２】
2011219110.tif 000004
【図３】
2011219110.tif 000005
【図４】
2011219110.tif 000006
【図５】
2011219110.tif 000007
【図６】
2011219110.tif 000008
【図７】
2011219110.tif 000009
【図８】
2011219110.tif 000010
【図９】
2011219110.tif 000011
【図１０】
2011219110.tif 000012
【図１１】
2011219110.tif 000013
【図１２】
2011219110.tif 000014
【図１３】
2011219110.tif 000015
【図１４】
2011219110.tif 000016
【図１５】
2011219110.tif 000017
【図１６】
2011219110.tif 000018